(57)【要約】【課題】箱内の比較的小さなスペースに設けて複数の物品の動きを十分に抑え、落下等の衝撃を受けた際の各物品の損傷を防止することができる構造簡単で製造容易な支持体を提供する。【解決手段】複数の略円柱状の物品を箱２内で支持する支持体１を、第１支持板３と第２支持板４とにより構成する。第１支持板３は、物品の底部を嵌合支持する複数の底部嵌合部５と、互いに隣り合う各底部嵌合部５の間に位置して物品を載置する複数の底部載置部６とを備える。第２支持板４は、物品の頂部を嵌合支持する複数の頂部嵌合部７と、互いに隣り合う各頂部嵌合部７の間に位置して物品の頂部に当接する複数の頂部当接部８とを備える。各底部嵌合部５と各頂部当接部８とを互いに対向する位置に形成し、各底部載置部６と各頂部嵌合部７とを互いに対向する位置に形成する。【選択図】図１
2005104481.tif 000002
【特許請求の範囲】
【請求項１】
複数配列されて箱内に収納された略円柱状の物品を箱内において支持する支持体であって、
前記物品の底部を支持する所定板厚の第１支持板と、該第１支持板に対向して設けられ、前記物品の頂部を支持する所定板厚の第２支持板とによって構成され、
前記第１支持板は、前記物品の底部の外周形状に対応する穴状に形成されて該底部を嵌合自在の複数の底部嵌合部と、互いに隣り合う各底部嵌合部の間に位置して前記物品の底部を載置する略平坦な複数の底部載置部とを備え、
前記第２支持板は、前記物品の頂部の外周形状に対応する穴状に形成されて該頂部を嵌合自在の複数の頂部嵌合部と、互いに隣り合う各頂部嵌合部の間に位置して前記物品の頂部に当接する略平坦な複数の頂部当接部とを備え、
該第２支持板の各頂部当接部は前記第１支持板の各底部嵌合部に対向する位置に形成され、該第２支持板の各頂部嵌合部は前記第１支持板の各底部載置部に対向する位置に形成されていることを特徴とする支持体。
【請求項２】
前記第１支持板の各底部嵌合部と各底部載置部とは行列方向に交互に配設されていると共に行列方向に互いに隣り合う底部載置部間の間隔は底部嵌合部の内径と略等しく形成されており、
前記第２支持板の各頂部嵌合部と各頂部当接部とは行列方向に交互に配設されていると共に行列方向に互いに隣り合う頂部当接部間の間隔は頂部嵌合部の内径と略等しく形成されていることを特徴とする請求項１記載の支持体。
【請求項３】
前記第１支持板により支持する物品の行数又は列数の少なくとも何れか一方が偶数であるとき、
一対の第１支持板の一方を水平方向に１８０°回転して前記第２支持板とすることを特徴する請求項１又は２記載の支持体。
【発明の詳細な説明】
【技術分野】
【０００１】
本発明は、箱内に収納された複数の物品を箱内において支持する支持体に関する。
【背景技術】
【０００２】
略円柱状の物品として例えば、円筒或いは多角筒状の胴部を備える飲料缶が挙げられる。飲料缶は、複数行複数列に配列された状態で段ボール箱内に収納されて出荷される。
【０００３】
ところで、飲料缶を収納した箱が輸送時等に落下すると、その衝撃と個々の飲料缶の重量とによって箱の内部で飲料缶同士が衝突し、箱内において飲料缶に凹みや潰れ等の変形が生じることがあった。特に、段ボール箱内における各飲料缶は互いに接した状態とされているため、箱の一側に衝撃を受けてた場合であっても、箱内における各飲料缶同士の衝突圧接が衝撃を受けた側と反対側にまで波及して、比較的多くの飲料缶に凹みや潰れ等の変形が生じることがあった。
【０００４】
そこで、箱内において各飲料缶を固定し、落下等の衝撃を受けた際の飲料缶の動きを規制する支持体を用いることが考えられる。従来、この種の支持体として下記特許文献１に記載されたものが知られている。この支持体は、複数の瓶体の底部側を支持する第１支持板と、該第１支持板に対向して設けられ、複数の瓶体の頸部を支持する第２支持板とによって構成されている。第１支持板には各瓶体の底部を挿入させる複数の支持孔が所定間隔を存して形成されており、第２支持板には各瓶体の頸部を挿入させる複数の支持孔が、第１支持板の各支持孔に対向して形成されている。これにより、箱の内部に収容された各瓶体は、互いに隣り合う瓶体間に間隔が形成された状態で第１支持板の支持孔と第２支持板の支持孔とに支持される。
【０００５】
しかし、一般に各飲料缶は、段ボール箱内においては互いに隣り合うもの同士が当接した状態で複数行複数列に整列されているため、各飲料缶の配列に応じ支持孔を第１支持板及び第２支持板に設けようとしても、隣り合う支持孔同士が連続してしまい、箱内における飲料缶の動きを十分に抑えることができない不都合がある。
【０００６】
また、飲料缶を収容するための段ボール箱は、所定数の飲料缶を配列させた際の外形に対応して形成されており、箱の内面と飲料缶との間に形成される隙間が極めて小さいために、特許文献１のような箱内に比較的大きな取り付けスペースを必要とする支持体を採用することができない不都合がある。
【特許文献１】特公昭３５−１９９１号公報（第１図〜第５図）
【発明の開示】
【発明が解決しようとする課題】
【０００７】
かかる不都合を解消して、本発明は、箱内の比較的小さなスペースに設けて複数の物品の動きを十分に抑え、落下等の衝撃を受けた際の各物品の損傷を防止することができる構造簡単で製造容易な支持体を提供することを目的とする。
【課題を解決するための手段】
【０００８】
かかる目的を達成するために、本発明は、複数配列されて箱内に収納された略円柱状の物品を箱内において支持する支持体であって、前記物品の底部を支持する所定板厚の第１支持板と、該第１支持板に対向して設けられ、前記物品の頂部を支持する所定板厚の第２支持板とによって構成され、前記第１支持板は、前記物品の底部の外周形状に対応する穴状に形成されて該底部を嵌合自在の複数の底部嵌合部と、互いに隣り合う各底部嵌合部の間に位置して前記物品の底部を載置する略平坦な複数の底部載置部とを備え、前記第２支持板は、前記物品の頂部の外周形状に対応する穴状に形成されて該頂部を嵌合自在の複数の頂部嵌合部と、互いに隣り合う各頂部嵌合部の間に位置して前記物品の頂部に当接する略平坦な複数の頂部当接部とを備え、該第２支持板の各頂部当接部は前記第１支持板の各底部嵌合部に対向する位置に形成され、該第２支持板の各頂部嵌合部は前記第１支持板の各底部載置部に対向する位置に形成されていることを特徴とする。
【０００９】
本発明の支持板によって箱内における物品を支持することきには、先ず、箱の底部に第１支持板を敷設し、次いで、物品の底部を第１支持板の底部嵌合部に嵌合させる。更に、底部嵌合部に底部が嵌合された物品の間の底部載置部に物品の底部を載置する。これにより、底部嵌合部に嵌合された物品は第１支持板により嵌合状態で支持される。このとき、第１支持板が所定の板厚を有していることにより、底部載置部に載置された物品の頂部が、底部嵌合部に底部が嵌合された物品よりも上方に突出する。続いて、これらの物品の上部に第２支持板を載置する。第２支持板の頂部嵌合部は、第１支持板の底部載置部に対向する位置に設けられているので、第１支持板の底部載置部に載置された物品の頂部を第２支持板の頂部嵌合部に嵌合させることができる。そして同時に、第２支持板の頂部当接部は、第１支持板の底部嵌合部に対向する位置に設けられているので、第１支持板の底部嵌合部に底部が嵌合されている物品の頂部が第２支持板の頂部当接部に当接する。その後箱を閉蓋することで、物品の包装等が完了する。
【００１０】
このように、第１支持板によって底部が嵌合状態とされ且つ頂部が第２支持板に当接された物品はその動きが十分に抑えられる一方、これらの物品の間において、第２支持板によって頂部が嵌合状態とされ且つ底部が第１支持板に載置された物品はその動きが十分に抑えられる。これにより、第１支持板と第２支持板とからなる支持板により各物品が箱内において支持され、例えば、箱の落下時に衝撃が一部の物品に付与されても、衝撃が付与された物品が動いて他の物品に損傷を与えるといった事態を回避することができる。
【００１１】
また、第１支持板と第２支持板とは共に板状であるので、箱内における物品の上下に形成される僅かなスペースに容易に介在させることができる。更に、第１支持板及び第２支持板は所定の位置に前記底部嵌合部及び頂部嵌合部を形成するだけで容易に製造することができる。
【００１２】
また、本発明において、前記第１支持板の各底部嵌合部と各底部載置部とは行列方向に交互に配設されていると共に行列方向に互いに隣り合う底部載置部間の間隔は底部嵌合部の内径と略等しく形成されており、前記第２支持板の各頂部嵌合部と各頂部当接部とは行列方向に交互に配設されていると共に行列方向に互いに隣り合う頂部当接部間の間隔は頂部嵌合部の内径と略等しく形成されていることを特徴とする。
【００１３】
本発明の支持体は、行列方向に互いに隣り合う底部載置部間の間隔は底部嵌合部の内径と略等しく形成されているので、第１支持板上において底部嵌合部に底部が嵌合された物品とその物品に隣り合って底部載置部に載置された物品とが互いに側壁を当接した状態となる。同じく、行列方向に互いに隣り合う頂部当接部間の間隔は頂部嵌合部の内径と略等しく形成されているので、第１支持板上の各物品の位置に対応して、頂部嵌合部に頂部が嵌合された物品とその物品に隣り合って頂部当接部に頂部が当接された物品とが互いに側壁を当接した状態となる。即ち、支持体をこのように構成することにより、箱内に複数の物品が互いに当接して配列されていても、各物品を確実に支持して箱内の各物品の動きを十分に抑えることができる。
【００１４】
また、本発明においては、前記第１支持板により支持する物品の行数又は列数の少なくとも何れか一方が偶数であるとき、一対の第１支持板の一方を水平方向に１８０°回転して前記第２支持板とすることができる。即ち、支持板を製造するときには第１支持板のみを一対ずつ製造しておき、使用時に一方の第１支持板を水平方向に１８０°回転するだけで前記第２支持板を設けることができる。これにより、第１支持板と第２支持板とを各別に製造することなく、第１支持板のみを製造すれば同時に第２支持板が得られるので、極めて容易に且つ安価な支持体を製造することができる。
【発明を実施するための最良の形態】
【００１５】
本発明の一実施形態を図面に基づいて説明する。図１は本実施形態の支持体を示す説明的斜視図、図２は本実施形態の支持体の第１支持板と第２支持板の平面図、図３は箱内における飲料缶の支持状態を示す説明的縦断面図、図４は箱内における飲料缶の支持状態を示す説明的平面図である。
【００１６】
図１に示すように、本実施形態の支持体１は、箱２の底部上に敷設される第１支持板３と箱２の天部内側に当接状態となる第２支持板４とによって構成される。第１支持板３は、所定の厚み寸法を有する矩形状の段ボール板紙を打抜いて形成されたものであり、図２に示すように、貫通する穴状に形成された複数の底部嵌合部５が形成されている。該底部嵌合部５は、図３に示すように、箱２に収納する円柱状の物品である飲料缶Ｗの底部の外径と略等しい内径に形成されており、飲料缶Ｗの底部が嵌合可能とされている。更に、図２及び図３に示すように、各底部嵌合部５の間は飲料缶Ｗの底部を載置する略平坦な底部載置部６とされている。また、図３及び図４に示すように、箱２の内部において各飲料缶Ｗは互いに隣り合うもの同士が当接した状態で収納されるが、これに対応して、図２に示すように、行列方向に互いに隣り合う底部載置部６間の間隔寸法は底部嵌合部５の内径寸法と略等しく形成されている。即ち、底部載置部６における飲料缶Ｗの載置幅ａは底部嵌合部５の内径寸法ｂと略等しい。
【００１７】
第２支持板４は、図２に示すように、第１支持板３と同じ形状であって該第１支持板３を水平に１８０°回転させたものである。即ち、該第２支持板４は、所定の厚み寸法を有する矩形状の段ボール板紙を打抜いて形成されたものであり、図２に示すように、貫通する穴状に形成された複数の頂部嵌合部７が形成されている。該頂部嵌合部７は、図３に示すように、箱２に収納する円柱状の物品である飲料缶Ｗの頂部の外径と略等しい内径に形成されており、飲料缶Ｗの頂部が嵌合可能とされている。更に、図２及び図３に示すように、各頂部嵌合部７の間は飲料缶Ｗの頂部に当接する略平坦な頂部当接部８とされている。また、第１支持板３と同様に、図２に示すように、行列方向に互いに隣り合う頂部当接部８間の間隔寸法は頂部嵌合部７の内径寸法と略等しく形成されている。即ち、頂部当接部８における飲料缶Ｗの当接幅ａは頂部嵌合部７の内径寸法ｂと略等しい。そして、図１に示すように、第２支持板４の頂部嵌合部７は、第１支持板３の底部載置部６に対向して位置され、第２支持板４の頂部当接部８は、第１支持板３の底部嵌合部５に対向して位置されている。
【００１８】
なお、本実施例においては、第１支持板３と第２支持板４とを段ボール板紙によって形成したことにより、第１支持板３と第２支持板４とは約５mm程の厚みを有する。これによって、飲料缶Ｗの頂部や底部と頂部嵌合部７や底部嵌合部５との良好な嵌合状態を形成することができる。また、第１支持板３と第２支持板４とを段ボール板紙によって形成したことにより、リサイクルや焼却処理が容易であり、また安価に提供することができる。
【００１９】
このように構成された本実施形態の支持体１を用いるときには、先ず、図１を参照すれば、箱２の底部に第１支持板３を敷設し、次いで図３に示すように、行列方向の一つおきの飲料缶Ｗの底部を第１支持板３の底部嵌合部５に嵌合させ、底部嵌合部５に底部を嵌合させた飲料缶Ｗの間に位置する飲料缶Ｗを第１支持板３の底部載置部６に載置する。
【００２０】
これにより、底部載置部６に載置された飲料缶Ｗの頂部が、底部嵌合部５に嵌合された飲料缶Ｗの頂部よりも上方に突出した状態となると共に、各飲料缶Ｗが行列方向に一つおきに第１支持板３に支持された状態となる。
【００２１】
続いて、図３及び図４に示すように、各飲料缶Ｗの上方に第２支持板４を被せるように載置し、頂部が突出する飲料缶Ｗの頂部を第２支持板４の頂部嵌合部７に嵌合させる。それと同時に、頂部が突出する飲料缶Ｗの間に位置する飲料缶Ｗの頂部に第２支持板４の頂部当接部８が当接し、図４に示すように、各飲料缶Ｗが行列方向に一つおきに第２支持板４に支持された状態となる。このようにして、図３に示すように、各飲料缶Ｗは第１支持板３と第２支持板４とによって交互に支持され、動きが抑えられた状態で箱２内に収納される。
【００２２】
このように、本実施形態の支持体１によれば、箱２内に複数の飲料缶Ｗが互いに当接して配列されていても、箱２内の各飲料缶Ｗの動きを十分に抑えることができ、箱２が落下した際にその衝撃が付与された一部の飲料缶Ｗが動いて他の飲料缶Ｗに損傷を与える事態を回避することができる。更に、第１支持板３と第２支持板４とは共に板状であるので、箱２内における飲料缶Ｗの上下の極めて狭いスペースに介在させることができる。また、第１支持板３及び第２支持板４は所定の位置に前記底部嵌合部５及び頂部嵌合部７を穴状に打抜くだけで容易に製造することができ、しかも、本実施形態のように箱２内の飲料缶Ｗが行列方向の何れか一方に偶数個配列されている場合には、第１支持板３を２枚同時に形成して一方の第１支持板３を水平方向に１８０°回転するだけで第２支持板４とすることができる。
【００２３】
なお、本実施形態においては、物品の一例として円柱状の飲料缶Ｗを挙げたが、本発明の支持体は胴部が多角形状の缶体はもちろん、図示しないが、第１支持板３の各底部嵌合部と第２支持板４の各頂部嵌合部の形状や大きさを変更するだけで、ボトル缶、合成樹脂製ボトル、ガラス瓶等の瓶状の物品であっても良好に支持することができることは言うまでもない。
【００２４】
また、本実施形態の支持体１においては、各飲料缶Ｗが互いに当接した状態で箱２内に収納される場合を例に挙げたために、図２に示すように、底部載置部６の載置幅ａが底部嵌合部５の内径寸法ｂと略等しく形成され、頂部当接部８の当接幅ａが頂部嵌合部７の内径寸法ｂと略等しく形成されているが、本発明はこれに限るものではない。例えば、図示しないが、箱内における各物品の間に間隙が設けられるように収容される場合には、底部載置部６の載置幅ａを頂部嵌合部７の内径寸法ｂより大とし、頂部当接部８の当接幅ａを頂部嵌合部７の内径寸法ｂとり大としても各物品を良好に支持することができる。
【００２５】
また、本実施形態においては、第１支持板３と第２支持板４とを厚さ約５mmの段ボール板紙によって形成した例を示したが、段ボール板紙を材料とする場合には厚さ約３mm〜約８mmのものであっても採用することができる。更にそれ以外には、第１支持板３と第２支持板４とが物品の底部周縁部と頂部周縁部との僅かな範囲を嵌合できるだけの板厚を有していればよいので、第１支持板３と第２支持板４とを段ボール板紙以外の板材（例えば合成樹脂等）で形成してもよい。
【図面の簡単な説明】
【００２６】
【図１】本発明の一実施形態の支持体を示す説明的斜視図。
【図２】本実施形態の支持体の第１支持板と第２支持板の平面図。
【図３】箱内における飲料缶の支持状態を示す説明的縦断面図。
【図４】箱内における飲料缶の支持状態を示す説明的平面図。
【符号の説明】
【００２７】
１…支持体、２…箱、３…第１支持板、４…第２支持板、５…底部嵌合部、６…底部載置部、７…頂部嵌合部、８…頂部当接部、Ｗ…飲料缶（物品）。
【図１】
2005104481.tif 000003
【図２】
2005104481.tif 000004
【図３】
2005104481.tif 000005
【図４】
2005104481.tif 000006